(57)【要約】【課題】電子ペーパーの撓みの変化に起因した面白みを遊技者が感じることを実現できる可撓性を有する電子ペーパー表示装置を備えた遊技機を提供する。【解決手段】本発明に係る遊技機は、始動口と、遊技球が入球不可能な閉鎖状態および遊技球が入球可能な開放状態に変化可能な可変入球口と、遊技球が始動口に入球することに基づいて、大当り又は外れを判定する当落判定手段と、当落判定手段が大当りを判定したときには大当りの図柄を表示し、前記当落判定手段が外れを判定したときには外れの図柄を表示する電子ペーパー表示装置と、を備え、電子ペーパー表示装置２５は、可撓性を有する電子ペーパー１０１と、電子ペーパーを変形可能に保持する保持部材と、電子ペーパーの一端部及び他端部それぞれに前記電子ペーパーの表面に対して略垂直方向の力を与えることにより前記電子ペーパーを撓ませる演出を行う撓み量変更機構と、を具備する。【選択図】      図８
2008099751.tif 000002
【特許請求の範囲】
【請求項１】
遊技球が入球可能な始動口と、
前記遊技球が入球不可能な閉鎖状態および前記遊技球が入球可能な開放状態に変化可能な可変入球口と、
前記遊技球が前記始動口に入球することに基づいて、前記可変入球口を開放する大当り又は前記可変入球口を開放しない外れを判定する当落判定手段と、
前記当落判定手段が大当りを判定したときには大当りの図柄を表示し、前記当落判定手段が外れを判定したときには外れの図柄を表示する電子ペーパー表示装置と、
を備え、
前記電子ペーパー表示装置は、
可撓性を有する電子ペーパーと、
前記電子ペーパーを変形可能に保持する保持部材と、
前記電子ペーパーの一端部及び他端部それぞれに前記電子ペーパーの表面に対して略垂直方向の力を与えることにより前記電子ペーパーを撓ませる演出を行う撓み量変更機構と、
を具備することを特徴とする遊技機。
【請求項２】
請求項１において、前記撓み量変更機構は、前記電子ペーパーの一端部及び他端部それぞれに前記略垂直方向の力を与える場所、または前記略垂直方向の力の大きさを変化させることを特徴とする遊技機。
【請求項３】
遊技球が入球可能な始動口と、
前記遊技球が入球不可能な閉鎖状態および前記遊技球が入球可能な開放状態に変化可能な可変入球口と、
前記遊技球が前記始動口に入球することに基づいて、前記可変入球口を開放する大当り又は前記可変入球口を開放しない外れを判定する当落判定手段と、
前記当落判定手段が大当りを判定したときには大当りの図柄を表示し、前記当落判定手段が外れを判定したときには外れの図柄を表示する電子ペーパー表示装置と、
を備え、
前記電子ペーパー表示装置は、
可撓性を有する電子ペーパーと、
前記電子ペーパーの一端側に設けられた第１のフレキシブルベルトと、
前記電子ペーパーの他端側に設けられた第２のフレキシブルベルトと、
前記第１のフレキシブルベルトに設けられた第１の突起と、
前記第２のフレキシブルベルトに設けられた第２の突起と、
前記第１の突起上に配置され、前記第１の突起をガイドする第１の溝が波状に掘られた第１のドラムと、
前記第２の突起上に配置され、前記第２の突起をガイドする第２の溝が波状に掘られた第２のドラムと、
前記第１及び第２のドラムを回転させる回転機構と、
を具備し、
前記回転機構によって前記第１及び第２のドラムそれぞれを回転させ、前記第１及び第２の溝それぞれによって前記第１及び第２の突起それぞれをガイドすることにより、前記電子ペーパーの表面を撓ませることを特徴とする遊技機。
【発明の詳細な説明】
【技術分野】
【０００１】
本発明は、電子ペーパーの撓みの変化に起因した面白みを遊技者が感じることを実現できる可撓性を有する電子ペーパー表示装置を備えた遊技機に関する。ここでいう電子ペーパーとは、マイクロカプセル型電気泳動方式等を使用した表示装置に限らず、可撓性があって図柄等を表示できる表示装置の意味であり、例えば、有機ＥＬディスプレイ、フレキシブルＬＣＤなどを含む。
【背景技術】
【０００２】
従来の遊技機には電子ペーパーを表示装置として使用したものがある。この表示装置は、ベルト状の電子ペーパーを巻き出したり巻き取ったりすることにより、不可視状態の電子ペーパーをあるタイミングで表示装置前面へ出現させて可視状態にし、この出現する過程において、電子ペーパーガイドで電子ペーパーに所定の撓みを形成するものである。（例えば特許文献１参照）。
【特許文献１】特開２００５−１５２３７３号公報（０００５、００１１〜００１９、００２３〜００２５段落、図３、図６、図７）
【発明の開示】
【発明が解決しようとする課題】
【０００３】
上述した表示装置は、電子ペーパーが撓んではいるものの、可視状態下における電子ペーパーの撓み形状は常に決まった形であって、遊技の面白さとしては、不可視状態の電子ペーパーが出現して可視状態になることにあり、電子ペーパーの撓みの変化に起因する遊技の面白さは無かった。
【０００４】
本発明は上記のような事情を考慮してなされたものであり、その目的は、電子ペーパーの撓みの変化に起因した面白みを遊技者が感じることを実現できる可撓性を有する電子ペーパー表示装置を備えた遊技機を提供することにある。
【課題を解決するための手段】
【０００５】
上記課題を解決するため、本発明に係る遊技機は、遊技球が入球可能な始動口と、
前記遊技球が入球不可能な閉鎖状態および前記遊技球が入球可能な開放状態に変化可能な可変入球口と、
前記遊技球が前記始動口に入球することに基づいて、前記可変入球口を開放する大当り又は前記可変入球口を開放しない外れを判定する当落判定手段と、
前記当落判定手段が大当りを判定したときには大当りの図柄を表示し、前記当落判定手段が外れを判定したときには外れの図柄を表示する電子ペーパー表示装置と、
を備え、
前記電子ペーパー表示装置は、
可撓性を有する電子ペーパーと、
前記電子ペーパーを変形可能に保持する保持部材と、
前記電子ペーパーの一端部及び他端部それぞれに前記電子ペーパーの表面に対して略垂直方向の力を与えることにより前記電子ペーパーを撓ませる演出を行う撓み量変更機構と、
を具備することを特徴とする。
【０００６】
また、本発明に係る遊技機において、前記撓み量変更機構は、前記電子ペーパーの一端部及び他端部それぞれに前記略垂直方向の力を与える場所、または前記略垂直方向の力の大きさを変化させることも可能である。
【０００７】
本発明に係る遊技機は、遊技球が入球可能な始動口と、
前記遊技球が入球不可能な閉鎖状態および前記遊技球が入球可能な開放状態に変化可能な可変入球口と、
前記遊技球が前記始動口に入球することに基づいて、前記可変入球口を開放する大当り又は前記可変入球口を開放しない外れを判定する当落判定手段と、
前記当落判定手段が大当りを判定したときには大当りの図柄を表示し、前記当落判定手段が外れを判定したときには外れの図柄を表示する電子ペーパー表示装置と、
を備え、
前記電子ペーパー表示装置は、
可撓性を有する電子ペーパーと、
前記電子ペーパーの一端側に設けられた第１のフレキシブルベルトと、
前記電子ペーパーの他端側に設けられた第２のフレキシブルベルトと、
前記第１のフレキシブルベルトに設けられた第１の突起と、
前記第２のフレキシブルベルトに設けられた第２の突起と、
前記第１の突起上に配置され、前記第１の突起をガイドする第１の溝が波状に掘られた第１のドラムと、
前記第２の突起上に配置され、前記第２の突起をガイドする第２の溝が波状に掘られた第２のドラムと、
前記第１及び第２のドラムを回転させる回転機構と、
を具備し、
前記回転機構によって前記第１及び第２のドラムそれぞれを回転させ、前記第１及び第２の溝それぞれによって前記第１及び第２の突起それぞれをガイドすることにより、前記電子ペーパーの表面を撓ませることを特徴とする。
【発明を実施するための最良の形態】
【０００８】
以下、図面を参照して本発明の実施の形態について説明する。
（実施の形態１）
本発明の実施の形態１による遊技機は、パチンコ球が始動口に入賞したことを条件に抽選を行ってその抽選結果に応じて変動パターンを設定し、変動パターンの設定結果に基づいて図柄遊技の演出パターンを設定するものであり、可撓性を有する電子ペーパー表示装置を備えている。この電子ペーパー表示装置は、図柄を表示する電子ペーパーを有し、この電子ペーパーを撓ませ、この撓みを変化させながら図柄を表示するものであり、遊技者が前方から視覚的に認識可能にされている。尚、ここでいう電子ペーパーは、可撓性があって図柄を表示できるペーパーであればよく、例えば有機ＥＬディスプレイなどである。
【０００９】
電子ペーパー表示装置の電子ペーパーには識別図柄領域が形成されており、識別図柄領域内には識別図柄が表示される。識別図柄は、例えば、左列・中列・右列の３列の数字図柄およびブランク図柄からなるものであり、この識別図柄は遊技者に大当りおよび外れを報知する図柄として機能する。このように識別図柄を電子ペーパー表示装置に表示することにより遊技者に提供する遊技を図柄遊技と称する。
【００１０】
１．遊技機の機械的構成および電気的構成について
パチンコホールの台島には、図２および図３に示すように、外枠１が設置されている。この外枠１は前後面が開口する四角筒状をなすものであり、外枠１の前端面には前枠２が左側辺部の垂直な軸を中心に回動可能に装着されている。この前枠２の前面には、下端部に位置して横長な長方形状の下皿板３が固定されており、下皿板３の前面には上面が開口する下皿４が固定されている。また、前枠２の前面には下皿板３の上方に位置して上皿板５が装着されており、上皿板５の前面には上面が開口する上皿６が固定されている。この上皿板５の後面には右端部に位置してスピーカ７が固定されており、スピーカ７の駆動時にはスピーカ７から前方の遊技者に遊技音が出力される。
【００１１】
下皿板３の前面には右端部に位置してハンドル台８が固定されており、ハンドル台８には発射ハンドル９が前後方向へ延びる水平な軸を中心に回動可能に装着されている。この発射ハンドル９の後方には、図３に示すように、発射モータ１０が固定されており、発射モータ１０の回転軸には、図２に示すように、打球槌１１が連結されている。この発射モータ１０は打球槌１１の駆動源に相当するものであり、発射ハンドル９が図２の時計回り方向へ回動操作されたときには発射モータ１０に駆動電源が与えられ、打球槌１１が駆動することに基づいて上皿６内のパチンコ球を上皿６内から弾き出す。
【００１２】
前枠２の前面には、図２に示すように、矩形状の窓枠１２が左側辺部の垂直な軸を中心に回動可能に装着されており、窓枠１２の内周面には透明なガラス窓１３が固定されている。また、前枠２の後面には額縁状の機構盤が固定されている。この機構盤には正方形状の遊技盤１４（図１参照）が着脱可能に装着されており、遊技盤１４は窓枠１２のガラス窓１３により前方から覆われている。
【００１３】
遊技盤１４の前面には、図１に示すように、外レール１５および内レール１６が固定されている。これら外レール１５および内レール１６間には左側部に位置して発射通路１７が形成されており、打球槌１１が弾いたパチンコ球は発射通路１７内を通って上昇する。また、遊技盤１４には遊技領域１８が形成されており、遊技領域１８内には複数の障害釘１９が打込まれている。この遊技領域１８は外レール１５および内レール１６によって囲まれた円形領域（発射通路１７を除く残余領域）を称するものであり、発射通路１７内を上昇するパチンコ球は発射通路１７の出口２０から遊技領域１８内に放出され、障害釘１９に当りながら遊技領域１８内を落下する。即ち、遊技領域１８は発射通路１７の出口２０から放出されたパチンコ球が転動可能な最大範囲である転動領域に相当する。
【００１４】
窓枠１２には、図２に示すように、ガラス窓１３の外周部に位置して複数のランプカバー２１が固定されており、各ランプカバー２１の後方には複数のＬＥＤ２２が配置されている。これら各ＬＥＤ２２は窓枠２１に固定されたものであり、各ランプカバー２１は後方のＬＥＤ２２が発光することに基づいて照明される。
【００１５】
遊技盤１４の前面には、図１に示すように、遊技領域１８内に位置して表示台板２３が固定されている。この表示台板２３は横長な長方形状の開口部２４を有するものであり、表示台板２３の後面には可撓性を有する電子ペーパー表示装置２５が固定されている。電子ペーパー表示装置２５は横長な長方形状の電子ペーパー（例えば有機ＥＬディスプレイ）を有するものであり、電子ペーパー表示装置２５の電子ペーパーは開口部２４を通して前方から視覚的に認識可能にされている。
【００１６】
電子ペーパー表示装置２５の電子ペーパーには識別図柄領域ＴＥが形成されており、識別図柄領域ＴＥ内には識別図柄が表示される。識別図柄は左列・中列・右列の３列の数字図柄およびブランク図柄からなるものであり、３列の数字図柄の組合せに応じて遊技者に大当りおよび外れを報知する図柄として機能する。
【００１７】
電子ペーパー表示装置２５の電子ペーパーには保留球表示領域ＨＥが形成されている。この保留球表示領域ＨＥは識別図柄領域ＴＥを除いた残余の隅領域を称するものであり、保留球領域ＨＥ内には保留球数が数値で表示される。この保留球数とは識別図柄の変動表示を即座に開始することができないタイミングでパチンコ球が始動口３３内に入賞することに基づいて加算されるものであり、識別図柄遊技の待機回数を示している。
【００１８】
電子ペーパー表示装置２５の後面には図柄基板ケースが固定されており、図柄基板ケース内には図柄制御基板が収納されている。この図柄制御基板には、図４に示すように、図柄制御装置２６および駆動回路２７が搭載されており、電子ペーパー表示装置２５は駆動回路２７を介して図柄制御装置２６に電気的に接続されている。この図柄制御装置２６は電子ペーパー表示装置２５の表示内容を制御するものであり、ＣＰＵ２８・ＶＤＰ２９・ＲＯＭ３０・ＲＡＭ３１・Ｉ／Ｏ３２を有している。
【００１９】
遊技盤１４の遊技領域１８内には、図１に示すように、表示台枠２３の下方に位置して上面が開口するポケット状の始動口３３が固定されている。この始動口３３内には近接スイッチからなる始動口センサ３４（図４参照）が固定されており、始動口センサ３４は始動口３３内にパチンコ球が入賞したことを検出して始動信号を出力する。
遊技盤１４の遊技領域１８内には、図１に示すように、始動口３３の下方に位置して入賞口台板３５が固定されており、入賞口台板３５には前面が開口する四角筒状の大入賞口３６が固定されている。また、入賞口台板３５には扉３７が下端部の水平な軸３８を中心に回動可能に装着されており、扉３７は大入賞口ソレノイド３９（図４参照）のプランジャに機械的に連結されている。この大入賞口ソレノイド３９は入賞口台板３５の後面に固定されたものであり、扉３７を垂直状態に回動操作することに基づいて大入賞口３６の前面を閉鎖し、扉３７を前方へ倒れた水平状態に回動操作することに基づいて大入賞口３６の前面を開放する。この大入賞口３６内には近接スイッチからなるカウントセンサ４０（図４参照）が固定されており、カウントセンサ４０は大入賞口３６内にパチンコ球が入賞したことを検出してカウント信号を出力する。
【００２０】
遊技盤１４の後面には、図３に示すように、表示台枠２３の後方に位置してセンタカバー４１が着脱可能に装着されている。このセンタカバー４１は前面が開口する容器状をなすものであり、電子ペーパー表示装置２５および図柄基板ケースは後方からセンタカバー４１によって覆われている。
遊技盤１４の後面にはセンタカバー４１内に位置して音光基板ケースが固定されており、音光基板ケース内には音光制御基板が収納されている。この音光制御基板には、図４に示すように、音制御装置４２および駆動回路４３が搭載されており、スピーカ７は駆動回路４３を介して音制御装置４２に電気的に接続されている。この音制御装置４２はＣＰＵ４４・ＲＯＭ４５・ＲＡＭ４６・Ｉ／Ｏ４７を有するものであり、駆動回路４３を通してスピーカ７を鳴動制御する。
【００２１】
音光制御基板には光制御装置４８および駆動回路４９が搭載されており、複数のＬＥＤ２２は駆動回路４９を介して光制御装置４８に電気的に接続されている。この光制御装置４８はＣＰＵ５０・ＲＯＭ５１・ＲＡＭ５２・Ｉ／Ｏ５３を有するものであり、駆動回路４９を通して複数のＬＥＤ２２を発光制御する。
【００２２】
前枠２の後面には、図３に示すように、メインセット５４が着脱可能に装着されている。このメインセット５４はセンタカバー４１を囲う矩形枠状をなすものであり、センタカバー４１はメインセット５４の内周部に収納されている。このメインセット５４の後面には上端部に位置して球タンク５５が固定されており、球タンク５５内にはパチンコ球が貯溜されている。また、メインセット５４の後面にはタンクレール５６が固定されている。このタンクレール５６は傾斜樋状をなすものであり、タンクレール５６の右端部は球タンク５５内に接続されている。
【００２３】
メインセット５４の左側部には賞球払出装置５７が着脱可能に装着されている。この賞球払出装置５７は払出モータ５８（図４参照）を駆動源とするものであり、パチンコ球が始動口３３内および大入賞口３６内に入賞することに基づいてパチンコ球を賞品球として放出する。
メインセット５４には下皿通路が設けられている。この下皿通路の上端部は賞球払出装置５７に接続されており、賞球払出装置５７から放出されたパチンコ球は下皿通路内を落下する。また、下皿通路の途中部分には上皿通路が設けられている。この上皿通路は上皿６内に接続されており、賞球払出装置５７から放出されたパチンコ球は下皿通路内から上皿通路内に転がり込み、上皿通路内を通して上皿６内に払出される。また、下皿通路の下端部は下皿４に接続されており、パチンコ球が上皿６内から溢れて上皿通路内に充満した状態では下皿通路の下端部を通して下皿４内に払出される。
【００２４】
メインセット５４の後面には、図３に示すように、センタカバー４１の下方に位置してメイン基板ケース５９が固定されている。このメイン基板ケース５９内にはメイン制御基板が収納されており、メイン制御基板には、図４に示すように、当落判定手段、可変情報選択手段に相当するメイン制御装置６０が搭載されている。このメイン制御装置６０はＣＰＵ６１・ＲＯＭ６２・ＲＡＭ６３・Ｉ／Ｏ６４を有するものであり、メイン制御装置６０には始動口センサ３４およびカウントセンサ４０が電気的に接続されている。また、メイン制御装置６０には駆動回路６５を介して大入賞口ソレノイド３９が電気的に接続されている。この駆動回路６５はメイン制御基板に搭載されたものであり、メイン制御装置６０は大入賞口ソレノイド３９を駆動回路６５を通して駆動制御し、大入賞口３６の扉３７を開閉操作する。
【００２５】
メインセット５４の後面には、図３に示すように、メイン基板ケース５９の前方に位置して払出基板ケース６６が固定されており、払出基板ケース６６内には払出制御基板が収納されている。この払出制御基板には、図４に示すように、払出制御装置６７が搭載されており、払出制御装置６７はメイン制御装置６０に電気的に接続されている。この払出制御装置６７はＣＰＵ６８・ＲＯＭ６９・ＲＡＭ７０・Ｉ／Ｏ７１を有するものであり、メイン制御装置６０は始動口センサ３４からの始動信号およびカウントセンサ４０からのカウント信号を検出することに基いて払出制御装置６７に賞球コマンドおよび賞球データを送信する。
【００２６】
払出制御装置６７には駆動回路７２を介して払出モータ５８が電気的に接続されている。この駆動回路７２は払出制御基板に搭載されたものであり、払出制御装置６７は駆動回路７２を通して払出モータ５８を駆動制御する。この払出モータ５８の駆動量は払出制御装置６７がメイン制御装置６０からの賞球コマンドを検出することに基いて賞球データに応じて設定するものであり、払出制御装置６７は払出モータ５８を駆動制御することに基づいて賞球払出装置５７から上皿６内に賞球データに応じた個数のパチンコ球を賞品球として払出す。
【００２７】
メイン制御装置６０には演出制御装置７３が電気的に接続されている。この演出制御装置７３はＣＰＵ７４・ＲＯＭ７５・ＲＡＭ７６・Ｉ／Ｏ７７を有するものであり、メイン制御装置６０は始動口センサ３４からの始動信号を検出したことを条件に遊技データを設定し、演出制御装置７３に送信する。この演出制御装置７３には図柄制御装置２６・音制御装置４２・光制御装置４８が電気的に接続されており、演出制御装置７３はメイン制御装置６０からの遊技データに基いて演出パターンを設定し、図柄制御装置２６・音制御装置４２・光制御装置４８に送信する。この演出パターンは電子ペーパー表示装置２５の駆動内容を時系列で示すシーケンスデータからなるものであり、図柄制御装置２６・音制御装置４２・光制御装置４８は演出制御装置７３からの演出パターンに基づいて電子ペーパー表示装置２５を駆動制御することで図柄遊技を映像・音・光で組成する。
【００２８】
演出制御装置７３には操作手段に相当する操作スイッチ７８が電気的に接続されている。この操作スイッチ７８は、図２に示すように、上皿６に前方から操作可能に固定された自己復帰形のプッシュスイッチからなるものであり、操作スイッチ７８の操作時には操作スイッチ７８から演出制御装置７３に操作信号が出力される。
【００２９】
２．遊技機の遊技機能について
２−１．図柄遊技機能
遊技者が上皿６内にパチンコ球を投入して発射ハンドル９を時計回り方向へ回動操作すると、遊技盤１４内にパチンコ球が発射され、障害釘１９に当りながら落下する。このパチンコ球が始動口３３内に入賞すると、賞球払出装置５７から設定個数のパチンコ球が上皿６内に賞品球として払出されるとともに、図柄遊技が開始される。この図柄遊技の詳細は後述する。
【００３０】
２−２．保留機能について
図柄遊技を即座に開始できない図柄遊技中および大当り遊技中にパチンコ球が始動口３３内に入賞したときには図柄遊技が保留される。図柄表示器２５の保留球表示領域ＨＥは図柄遊技の保留回数を数値で表示するための領域であり、パチンコ球が始動口３３内に入賞したときには保留球表示領域ＨＥ内の数値が加算表示されることに基いて保留回数の増加が報知され、図柄遊技が開始されたときには保留球表示領域ＨＥ内の数値が減算表示されることに基づいて保留回数の減少が報知される。
【００３１】
３．メイン制御装置（主制御基板）６０の内部処理について
メイン制御装置６０のＣＰＵ６１は、始動口センサ３４からの始動信号の有無を判断し、図５のステップＳ３１で始動信号を検出したときには、ステップＳ３２で大当り判定用ランダムカウンタの現在の計測値を取得し、ステップＳ３３でこの取得したランダムカウンタ値を１個の大当り値、例えば「７」と比較する。ここでランダムカウンタ値の取得結果が１個の大当り値と相違していることを検出したときには外れと判定し、ランダムカウンタの取得結果が１個の大当り値と同一であることを検出したときには大当りと判定する。大当りの確率は例えば「１／３６０」である。
【００３２】
ＣＰＵ６１は大当りおよび外れを判定すると、図５のステップＳ３４で大当りおよび外れの判定結果を検出する。ここで大当りを検出したときには、ステップＳ３５で大当り変動パターン選択カウンタの現在の計測値を取得し、ステップＳ３６でこの取得した選択カウンタ値に対応する大当り変動パターンを複数の大当り変動パターンの中から選択する（ステップＳ３６）。なお、選択された大当り変動パターンによって演出時間が設定される。
【００３３】
また、図５のステップＳ３４で外れの判定結果を検出したときには、ステップＳ３７で外れ変動パターン選択カウンタの現在の計測値を取得し、ステップＳ３８でこの取得した選択カウンタ値に対応する外れ変動パターンを複数の外れ変動パターンの中から選択する（ステップＳ３８）。なお、大当り変動パターン、外れ変動パターンは、前記の可変情報の一例であり、これら大当り変動パターン、外れ変動パターンによって演出時間が設定される。
【００３４】
次に、図６に示すコマンド信号送信処理について説明する。
ステップＳ４１で変動処理中のフラグがＯＮであるか否かが判定され、変動処理中のフラグがＯＮでない場合は、ステップＳ３６で選択された大当り変動パターン、またはステップＳ３８で選択された外れ変動パターンをステップＳ４２で演出制御装置７３に送信する。次に、ステップＳ４３で変動時間の計測が開始され、ステップＳ４４で変動処理中のフラグがＯＮされる。なお、ステップＳ４１で変動処理中のフラグがＯＮである場合はステップＳ４２からステップＳ４４を処理しない。
【００３５】
次に、図７に示す確定信号送信処理について説明する。
メイン制御装置６０において、ステップＳ５１で変動処理中のフラグがＯＮであるか否かが判定され、変動処理中のフラグがＯＮである場合はステップＳ５２で変動時間が変動パターンの時間以上であるか否かが判定され、変動時間が変動パターンの時間以上である場合はステップＳ５３で演出制御装置７３に確定信号が送信され、ステップＳ５４で変動処理中のフラグがＯＦＦされ、ステップ５５で変動時間をリセットする。なお、ステップＳ５１で変動処理中のフラグがＯＮでない場合およびステップＳ５２で変動時間が変動パターンの時間以上でない場合はステップＳ５３、ステップＳ５４、ステップ５５を処理しない。
【００３６】
４．演出制御装置（サブ統合制御基板）７３の内部処理について
サブ統合制御基板７３のＣＰＵ７４は、ステップＳ４２でメイン制御装置６０から送信された変動パターンを受信し、この受信した変動パターンが外れ変動パターンであるか否かを判定する。ここで外れの変動パターンであることを検出すると、外れ演出パターン選択カウンタの現在の計測値を取得し、この取得した選択カウンタ値に対応する外れ演出パターンを複数の外れ演出パターンの中から選択する。次に、外れ演出パターンに応じた外れ表示処理を行う。
【００３７】
また、ＣＰＵ７４は、外れ変動パターンでないことを検出したときには、大当り変動パターンであるか否かを判定する。ここで大当り変動パターンであることを検出すると、大当り演出パターン選択カウンタの現在の計測値を取得し、この取得した選択カウンタ値に対応する大当り演出パターンを複数の大当り演出パターンの中から選択する。次に、演出パターンに応じた大当り表示処理を行う。
【００３８】
遊技者には、３列の変動停止状態での数字図柄の組合せによって大当りおよび外れの判定結果が報知される。これら大当りおよび外れはパチンコ球が始動口内に入賞したことを条件に制御基板が無作為に判定するものである。
【００３９】
大当りとは、遊技者に大当りを報知する数字図柄の組合せであって、有効ライン上のいずれかにおいて下記の８種類のいずれかの数字図柄の組合せが表示された場合である。
【００４０】
＜大当り図柄＞
「１ １ １」，「２ ２ ２」，「３ ３ ３」，「４ ４ ４」，「５ ５ ５」，「６ ６ ６」，「７ ７ ７」，「８ ８ ８」 
【００４１】
外れとは、大当りとならないものであって、電子ペーパー表示装置に大当り以外の図柄が表示された場合である。
【００４２】
次に、電子ペーパー表示装置２５の電子ペーパーを撓ませ、この撓みを変化させることにより電子ペーパーを波立たせて動かす方法について詳細に説明する。尚、電子ペーパーを波立たせて動かすタイミングは、特に限定されず、種々のタイミングで電子ペーパーを波立たせることが可能であるが、例えば、電子ペーパー表示装置２５において図柄遊技を行っている際の途中の時間のみに電子ペーパーを波立たせても良いし、図柄遊技を行っている間の全部の時間に電子ペーパーを波立たせても良いし、図柄遊技後（大当りの報知中、大当り遊技中）やデモ中（待機中）に動かしても良い。
【００４３】
図８は、本発明の実施の形態１による電子ペーパー表示装置を模式的に示す斜視図である。
図８に示すように、電子ペーパー表示装置２５は有機ＥＬディスプレイ又は電子ペーパー等からなる電子ペーパー１０１を有し、この電子ペーパー１０１には図柄遊技として図柄等が表示される。電子ペーパー１０１の上端側にはフレキシブルベルト１０２ａが装着されており、電子ペーパー１０１の下端側にはフレキシブルベルト１０２ｂが装着されている。フレキシブルベルト１０２ａ，１０２ｂそれぞれの端部にはスプリング１０６が取り付けられており、このスプリング１０６によってフレキシブルベルトには、電子ペーパー１０１を平面状にする方向へとテンションが加えられている。また、電子ペーパー１０１の両端面にはエンドバー１０７が取り付けられている。
【００４４】
フレキシブルベルト１０２ａ，１０２ｂの複数の領域Ａには突起１０３が設けられている。また、複数の領域Ａそれぞれには円筒状部材であるドラム１０５ａ〜１０５ｆが配置されており、ドラム１０５ａ〜１０５ｆの側面には溝１０４が掘られている。この溝１０４は、波状に形成されており、一本で繋げられている。ドラム１０５ａ〜１０５ｆは、溝１０４に突起１０３が挿入された状態で図示せぬモータによって回転するように取り付けられている。一つのドラムに対して一つのモータが取り付けられている。ドラム１０５ａ〜１０５ｆを回転させると波状に掘られた溝１０４内を突起１０３が滑るようにガイドされ、この突起１０３は矢印１０８のように電子ペーパー１０１の表面に対して垂直方向に往復移動される。
【００４５】
電子ペーパー１０１を挟んで互いに対向するドラム１０５ａと１０５ｄ、１０５ｂと１０５ｅ、１０５ｃと１０５ｆは、電子ペーパー１０１がそれぞれ同じ前記往復移動をするように、ドラムの溝の波形状やドラムの配置などが設定されている。つまり、電子ペーパー１０１が矢印１０８のように往復移動した場合、互いに対向するドラムそれぞれに挿入された突起１０３を結ぶ線は互いに常に平行を保つようになっている。
【００４６】
上述したようにドラムを回転させ、そのドラムの溝１０４内に突起１０３を滑らせながらガイドすることにより、突起１０３を矢印１０８の方向に往復移動させ、その往復移動をフレキシブルベルト１０２ａ，１０２ｂを介して電子ペーパー１０１に伝えることができる。その結果、電子ペーパー１０１の表面を波立たせることができる。この波の振幅数はドラムの数によって決まり、この波のゆれ幅はドラムの幅、またはドラムの溝によって決まり、この波の揺れサイクルはドラムの溝によって決まる。従って、遊技者が電子ペーパーの撓みの変化に起因した面白みを感じることができる。
【００４７】
４−１．図柄制御装置２６の制御内容
４−１−１．外れ表示処理
図柄制御装置２６のＣＰＵ２８は演出制御装置７３からの外れ表示処理のコマンドである外れ演出パターンを検出すると、電子ペーパー表示装置の電子ペーパーで図柄遊技を開始し、静止状態で表示されていた数字図柄及びブランク図柄の変動を開始する。これにより、電子ペーパー表示装置において、第１列（左列）、第２列（中列）及び第３列（右列）すべての図柄を変動させる。
【００４８】
ＣＰＵ２８は、第１所定期間経過後に、左列の図柄を停止させ、第２所定期間経過後に右列の図柄を停止させ、第３所定期間経過後に、中列の図柄を停止させる。このときの停止図柄は、演出制御装置７３によって設定された最終停止図柄であり、外れ図柄である。
【００４９】
ＣＰＵ２８は、図７のステップＳ５３で送信される確定信号の入力の有無を判定し、確定信号の入力が検出されないと、動画表示が継続される。確定信号の入力が検出されたときには、動画表示が確定して停止され、外れ表示の図柄遊技が終了する。
【００５０】
４−１−２．大当り表示処理
図柄制御装置２６のＣＰＵ２８は演出制御装置７３からの大当り表示処理のコマンドである大当り演出パターンを検出すると、電子ペーパー表示装置の電子ペーパーで図柄遊技を開始し、静止状態で表示されていた数字図柄及びブランク図柄の変動を開始する。これにより、電子ペーパー表示装置において、第１列（左列）、第２列（中列）及び第３列（右列）すべての図柄を変動させる。
【００５１】
ＣＰＵ２８は、第１所定期間経過後に、左列の図柄を停止させ、第２所定期間経過後に右列の図柄を停止させる。このとき左列には一つの数字図柄とその上下にブランク図柄が表示され、右列には一つの数字図柄とその上下にブランク図柄が表示される。このときの停止図柄は、演出制御装置７３によって設定された最終停止図柄の中列が変動したシングルリーチ状態の図柄である。
【００５２】
ＣＰＵ２８は、第４所定期間経過後に、中列の図柄を停止させる。このときの停止図柄は、演出制御装置７３によって設定された最終停止図柄であり、大当り図柄である。
【００５３】
ＣＰＵ２８は、図７のステップＳ５３で送信される確定信号の入力の有無を判定し、確定信号の入力が検出されないと、動画表示が継続される。確定信号の入力が検出されたときには、動画表示が確定して停止され、大当り表示の図柄遊技が終了する。
【００５４】
４−２．大当り遊技
４−２−１．上述した表示方法で大当り図柄が停止表示された後の大当り遊技についての説明
電子ペーパー表示装置において有効ライン上に大当りに相当する数字図柄が停止表示されたときには大当り遊技が開始される。この大当り遊技は大入賞口の扉を開放し、大入賞口内にパチンコ球が入賞すること許容する遊技者に有利な状態を発生させるものであり、大入賞口は上限個のパチンコ球が入賞する個数条件または開放時間が上限値に達する時間条件が満足されるまで開放状態に保持され、個数条件または時間条件が満足されると閉じられる。
大入賞口の個数条件および時間条件を基準とする開放動作は大当りラウンドと称されるものであり、個数条件および時間条件のいずれかが満足されたときには大当りラウンドが再開される。この大当りラウンドの繰返し回数には上限値が設定されており、大当りラウンドの繰返し回数が上限値に達したときには大当り遊技が無条件に終了する。
【００５５】
上記実施の形態１によれば、電子ペーパー表示装置２５の電子ペーパー１０１に図柄を表示して図柄遊技を行っている際に、前述した方法で、電子ペーパー１０１の表面を波立たせることにより、電子ペーパーの撓みの変化に起因した面白みを遊技者に感じさせることができる。言い換えると、電子ペーパーの撓みの変化に起因した面白みを遊技者に感じさせるように電子ペーパーの表面を波立たせることができる。
また、波の揺れ幅、揺れサイクルを溝１０４の幅で容易に設定することが可能なので、例えば、常に一定の波では無く、ドラム１０５ａ〜１０５ｆが一回転する間に波の揺れ幅、揺れサイクルを変更することが可能である。
【００５６】
尚、本発明は上記の実施の形態１に限定されず、本発明の主旨を逸脱しない範囲内で種々変更して実施することが可能である。例えば、ドラムの数を変更して実施することも可能であり、また、エンドバー１０７の中心軸を中心として回転可能となるように電子ペーパー１０１を保持することも可能である。
【００５７】
また、上記実施の形態１では、フレキシブルベルト１０２ａ，１０２ｂそれぞれの一端（電子ペーパー１０１の右辺側）にスプリング１０６を取り付けているが、フレキシブルベルト１０２ａ，１０２ｂそれぞれの他端（電子ペーパー１０１の左辺側）にスプリングを取り付けても良い。
【００５８】
また、上記実施の形態１では、一つのドラムを一つのモータによって回転させているが、複数のドラムを一つのモータによって回転させることも可能である。この場合、一つのモータによって一つのドラムに回転力を加え、このドラムの回転力を歯車又はベルトによって他の単数又は複数のドラムに加えることにより実現できる。この場合は、ドラム同士互いに同期を容易にとることができる。
【００５９】
（実施の形態２）
図９（Ａ），（Ｂ）及び図１０（Ａ），（Ｂ）は、本発明の実施の形態２による可撓性を有する電子ペーパー表示装置の電子ペーパーを波立たせて動かす機構を模式的に示す平面図であり、図８と同一部分には同一符号を付し、異なる部分についてのみ説明する。
【００６０】
図９（Ａ）に示すように、可撓性を有する電子ペーパー表示装置２５は、電子ペーパーの上端面のフレキシブルベルト１０２ａを電子ペーパーの表面に対して略垂直方向に押す第１乃至第３のカム１０９〜１１１を有している。第１のカム１０９はフレキシブルベルト１０２ａに対して一方側に配置され、第２のカム１１０はフレキシブルベルト１０２ａに対して他方側に配置され、第３のカム１１１はフレキシブルベルト１０２ａに対して一方側に配置されている。
【００６１】
第１のカム１０９の回転軸１０９ａには第１のモータ（図示せず）が接続されており、第１のカム１０９は第１のモータによって回転軸１０９ａを介して矢印１１２のように回転されるようになっている。第２のカム１１０の回転軸１１０ａには第２のモータ（図示せず）が接続されており、第２のカム１１０は第２のモータによって回転軸１１０ａを介して矢印１１３のように回転されるようになっている。第３のカム１１１の回転軸１１１ａには第３のモータ（図示せず）が接続されており、第３のカム１３３は第３のモータによって回転軸１１１ａを介して矢印１１４のように回転されるようになっている。
【００６２】
第１乃至第３のカム１０９〜１１１それぞれの向きの相対的な関係は、図９（Ａ）に示すようになっている。すなわち、フレキシブルベルト１０２ａが略一直線になっていて電子ペーパーに撓みのない状態において、第１乃至第３のカム１０９〜１１１は、それらの回転軸１０９ａ〜１１１ａから最も短い側１０９ｂ〜１１１ｂがフレキシブルベルト１０２ａに接するような位置関係に配置されている。
【００６３】
また、第２のカム１１０の回転軸１１０ａには移動機構（図示せず）が取り付けられており、この移動機構によって回転軸１１０ａをフレキシブルベルト１０２ａの長手方向に対して垂直方向に移動させることができるようになっている。
【００６４】
また、電子ペーパー表示装置２５は、電子ペーパーの下端面のフレキシブルベルト（図示せず）を電子ペーパーの表面に対して略垂直方向に押す第４乃至第６のカム（図示せず）を有しており、第４乃至第６のカムは第１乃至第３のカム１０９〜１１１と同様の位置に同様の構成で配置されている。第４のカムは電子ペーパーを挟んで第１のカム１０９に対向するように配置され、第５のカムは電子ペーパーを挟んで第２のカム１１０に対向するように配置され、第６のカムは電子ペーパーを挟んで第３のカム１１１に対向するように配置されている。また、第５のカムの回転軸には第２のカム１１０と同様に移動機構（図示せず）が取り付けられており、この移動機構によって第５のカムの回転軸を前記フレキシブルベルトの長手方向に対して垂直方向に移動させることができるようになっている。
【００６５】
次に、上述した電子ペーパーを波立たせて動かす機構による電子ペーパーの動きについて説明する。
電子ペーパーが撓みのない平面な状態にするには、図９（Ａ）に示すように第１乃至第３のカム１０９〜１１１それぞれの回転軸１０９ａ〜１１１ａから最も短い側をフレキシブルベルト１０２ａに接するような位置で第１乃至第３のカムを停止させるとともに、第４乃至第６のカムも同様の位置に停止させる。
【００６６】
次に、電子ペーパーを波立たせるには、第１乃至第６のカム１０９〜１１１の回転を停止した状態で、図９（Ｂ）に示すように第２のカム１１０及び第５のカムの回転軸１１０ａを前記移動機構によってフレキシブルベルト１０２ａ側に移動させる。これにより、第２及び第５のカム１１０それぞれの回転軸１１０ａから最も短い側１１０ｂでフレキシブルベルト１０２ａを押すことができる。これにより、フレキシブルベルト１０２ａを撓ませることができ、その結果、電子ペーパーの表面を波状に撓ませることができる。
【００６７】
次いで、第１乃至第６のカム１０９〜１１１の回転軸を矢印１１２〜１１４のように９０°回転させることにより、図１０（Ａ）に示すように、第１乃至第６のカムの回転軸から２番目に短い側１０９ｃ〜１１１ｃでフレキシブルベルト１０２ａを押すことができる。これにより、フレキシブルベルト１０２ａをさらに撓ませることができ、その結果、電子ペーパーの表面の波を大きくすることができる。
【００６８】
次いで、第１乃至第６のカム１０９〜１１１の回転軸を矢印１１２〜１１４のように９０°回転させることにより、図１０（Ｂ）に示すように、第１乃至第６のカムの回転軸から最も長い側１０９ｄ〜１１１ｄでフレキシブルベルト１０２ａを押すことができる。これにより、フレキシブルベルト１０２ａをさらに撓ませることができ、その結果、電子ペーパーの表面の波を最大にすることができる。
【００６９】
次いで、第１乃至第６のカム１０９〜１１１の回転軸を矢印１１２〜１１４のように９０°回転させることにより、第１乃至第６のカムの回転軸から２番目に短い側１０９ｃ〜１１１ｃでフレキシブルベルト１０２ａを押すことができる。これにより、フレキシブルベルト１０２ａを撓ませることができ、その結果、電子ペーパーの表面の波を図１０（Ａ）に示す大きさにすることができる。
【００７０】
次いで、第１乃至第６のカム１０９〜１１１の回転軸を矢印１１２〜１１４のように９０°回転させることにより、第１乃至第６のカムの回転軸から最も短い側１０９ｂ〜１１１ｂでフレキシブルベルト１０２ａを押すことができる。これにより、電子ペーパーの表面の波を図９（Ｂ）に示す大きさにすることができる。
【００７１】
次いで、第１乃至第６のカムの回転を繰り返すことにより、電子ペーパーの表面の波の大きさを変化させ、その結果、電子ペーパーの表面を波立たせることができる。なお、前述したように図９（Ａ）に示す状態から図９（Ｂ）に示す状態にした後に、図９（Ｂ）から図１０（Ｂ）までの動作を繰り返して電子ペーパーの表面を波立たせている間は、図９（Ａ）に示す平面状態を作らないようにする。
【００７２】
上記実施の形態２においても実施の形態１と同様の効果を得ることができる。
【００７３】
尚、本発明は上記の実施の形態２に限定されず、本発明の主旨を逸脱しない範囲内で種々変更して実施することが可能である。例えば、カムの数を変更して実施することも可能である。カムの数や大きさなどを調整することにより、電子ペーパーを波立たせる表現を調整することができる。
【００７４】
また、上記実施の形態２では、一つのカムを一つのモータによって回転させているが、複数のカムを一つのモータによって回転させることも可能である。この場合、一つのモータによって一つのカムに回転力を加え、このカムの回転力を歯車又はベルトによって他の単数又は複数のカムに加えることにより実現できる。この場合は、カム同士互いに同期を容易にとることができる。
【００７５】
また、上記実施の形態２に対する次のような変形例を実施することも可能である。
（変形例１）
図１１（Ａ），（Ｂ）及び図１２は、実施の形態２による電子ペーパーを波立たせて動かす機構の変形例１を説明するための平面図であり、図９及び図１０と同一部分には同一符号を付し、異なる部分についてのみ説明する。
【００７６】
第１及び第３のカム１０９，１１１の回転と第２のカム１１０の回転を別々に制御することにより、実施の形態２のような移動機構を設けなくても電子ペーパーの表面を平面にすることと波立たせることの両方を実現することができる。
【００７７】
次に、上述した電子ペーパーを波立たせて動かす機構による電子ペーパーの動きについて説明する。
電子ペーパーが撓みのない平面な状態にするには、実施の形態２と同様の位置で第１乃至第６のカムを停止させる（図９（Ａ）参照）。
【００７８】
次に、電子ペーパーを波立たせるには、第１、第３、第４及び第６のカム１０９，１１１の回転を停止した状態で、第２及び第５のカム１１０を矢印１１３ａのように１８０°回転させることにより、図１１（Ａ）に示すように第２及び第５のカム１１０それぞれの回転軸１１０ａから最も長い側１１０ｄでフレキシブルベルト１０２ａを押すことができる。これにより、フレキシブルベルト１０２ａを撓ませることができ、その結果、電子ペーパーの表面を波状に撓ませることができる。
【００７９】
次いで、第１乃至第６のカム１０９〜１１１の回転軸を矢印１１２，１１３ａ，１１４のように９０°回転させることにより、図１１（Ｂ）に示すように、第１乃至第６のカムの回転軸から２番目に短い側１０９ｃ〜１１１ｃでフレキシブルベルト１０２ａを押すことができる。これにより、フレキシブルベルト１０２ａをさらに撓ませることができ、その結果、電子ペーパーの表面の波を大きくすることができる。
【００８０】
次いで、第１乃至第６のカム１０９〜１１１の回転軸を矢印１１２，１１３ａ，１１４のように９０°回転させることにより、図１２に示すように、第１、第３、第４及び第６のカム１０９，１１１の回転軸から最も長い側１０９ｄ，１１１ｄでフレキシブルベルト１０２ａを押すとともに、第２及び第５のカム１１０の回転軸から最も短い側１１０ｂでフレキシブルベルト１０２ａを押すことができる。これにより、フレキシブルベルト１０２ａの撓みを小さくすることができ、その結果、電子ペーパーの表面の波を小さくすることができる。
【００８１】
次いで、第１乃至第６のカム１０９〜１１１の回転軸を矢印１１２，１１３ａ，１１４のように９０°回転させることにより、第１乃至第６のカムの回転軸から２番目に短い側１０９ｃ〜１１１ｃでフレキシブルベルト１０２ａを押すことができる。これにより、フレキシブルベルト１０２ａをさらに撓ませることができ、その結果、電子ペーパーの表面の波を大きくすることができる。
【００８２】
次いで、第１乃至第６のカム１０９〜１１１の回転軸を矢印１１２，１１３ａ，１１４のように９０°回転させることにより、図１１（Ａ）に示すように、第１、第３、第４及び第６のカム１０９，１１１の回転軸から最も短い側１０９ｂ，１１１ｂでフレキシブルベルト１０２ａを押すとともに、第２及び第５のカム１１０の回転軸から最も遠い側１１０ｄでフレキシブルベルト１０２ａを押すことができる。これにより、フレキシブルベルト１０２ａの撓みを小さくすることができ、その結果、電子ペーパーの表面の波を小さくすることができる。
【００８３】
次いで、第１乃至第６のカムの回転を繰り返すことにより、電子ペーパーの表面の波の大きさを変化させ、その結果、電子ペーパーの表面を波立たせることができる。なお、電子ペーパーの表面を波立たせた状態から電子ペーパーを撓みのない平面な状態にするには、実施の形態２と同様の位置で第１乃至第６のカムを停止させれば良い（図９（Ａ）参照）。
【００８４】
上記変形例１においても実施の形態２と同様の効果を得ることができる。
【００８５】
（実施の形態３）
図１３は、本発明の実施の形態３による可撓性を有する電子ペーパー表示装置の電子ペーパーを波立たせて動かす機構を模式的に示す斜視図である。図１４（Ａ）は、図１３に示す電子ペーパーを波立たせて動かす機構を部分的に詳細に示す斜視図であり、図１４（Ｂ）〜（Ｄ）は、図１４（Ａ）に示す機構の部品を示す斜視図である。図１３及び図１４において、図８と同一部分には同一符号を付し、異なる部分についてのみ説明する。
【００８６】
図１３に示すように、電子ペーパー１０１の上端面及び下端面それぞれには１軸方向のみに動く中空部材１１５ａ，１１５ｂが装着されている。中空部材１１５ａ，１１５ｂの内部には図１４（Ｄ）に示すような波型に曲げられた金属線１１６が挿入されている。この金属線１１６はピアノ線やバネのように粘りの有る材質からなることが好ましい。
【００８７】
詳細には、図１４（Ａ）に示すように、中空部材１１５ａ，１１５ｂは複数の中空部品１１５ｃが連結されたものである。この中空部品１１５ｃは図１４（Ｂ），（Ｃ）に示すように内部が中空で両端が開放された部品であり、内部の中空部分は円形の断面形状を有している。この開放された両端それぞれの近傍には第１及び第２の留め部１１７ａ，１１７ｂが設けられている。一の中空部品の第１の留め部１１７ａと他の中空部品の第２の留め部１１７ｂが図示せぬ軸で留められることにより一の中空部品と他の中空部品が連結され、この連結部分において一の中空部品と他の中空部品は前記軸に対して自在に回転移動できるようになっている。このような中空部品１１５ｃを複数連結させることにより中空部材１１５ａ，１１５ｂが構成されている。従って、中空部材１１５ａ，１１５ｂは、電子ペーパー１０１の表面に対して略垂直方向の１軸方向のみに動くようになっており、複数の中空部品１１５ｃを連結することにより中空部材は波状の動きをすることが可能となる。
【００８８】
中空部材１１５ａ，１１５ｂの内部に挿入された金属線１１６の一端にはモータ１１８，１１９が取り付けられており、モータ１１８，１１９によって金属線１１６を回転させるようになっている。金属線１１６は図１４（Ｄ）に示すように波型に曲げられているため、金属線１１６を回転させると金属線の波の高い部分１１６ａが中空部材１１５ａ，１１５ｂの内部を押しながら回転する。この際、中空部材は上述したように電子ペーパー１０１の表面に対して略垂直方向の１軸方向のみにしか動かないため、中空部材は波のような動きをすることになる。この波の動きが電子ペーパー１０１に伝えられることにより、電子ペーパー１０１の表面を波立たせることができる。
【００８９】
上記実施の形態３においても実施の形態１と同様の効果を得ることができる。
また、電子ペーパー１０１の上端面及び下端面それぞれに装着した中空部材の中空部分１１５ａ，１１５ｂに挿入した金属線１１６を回転させることで、電子ペーパー１０１を撓ませているので、他のカム等を使用した時と比べて省スペースとなる。
【００９０】
尚、本発明は上記の実施の形態３に限定されず、本発明の主旨を逸脱しない範囲内で種々変更して実施することが可能である。例えば、金属線の波型の形状を調整することにより、電子ペーパーを波立たせる波の振幅等を調整することができる。
【００９１】
また、上記実施の形態３では、一本の金属線１１６を一つのモータによって回転させているが、図１５に示すように、二本の金属線を一つのモータによって回転させることも可能である。この場合、一つのモータによって一本の金属線に回転力を加え、この回転力をベルト１２０によって他の金属線に加えることにより実現できる。この場合は、金属線同士互いに同期を容易にとることができる。
【００９２】
（実施の形態４）
図１６は、本発明の実施の形態４による可撓性を有する電子ペーパー表示装置の電子ペーパーを波立たせて動かす機構を模式的に示す斜視図である。図１７は、図１６に示す機構によって電子ペーパーを動かしている様子を説明する模式図である。図１６及び図１７において、図８と同一部分には同一符号を付し、異なる部分についてのみ説明する。
【００９３】
図１６に示すように、電子ペーパー１０１の上端面及び下端面それぞれを固定しているフレキシブルベルトには複数の磁石１２１が装着されている（電子ペーパーの上端面を固定しているフレキシブルベルトは図示していない）。複数の磁石１２１は、それぞれ独立して電子ペーパー１０１の表面に対して略垂直方向に移動可能に構成されている。
【００９４】
また、電子ペーパー表示装置は磁極発生装置付きガイドレール１２２，１２３を有しており、ガイドレール１２２とガイドレール１２３との間は所定の間隔が設けられている。前記複数の磁石１２１は、ガイドレール１２２とガイドレール１２３との間に配置されている。
【００９５】
図１７に示すように、複数の磁石１２１のうちの一部の磁石をガイドレール１２２，１２３の磁極で矢印１２４〜１２６のように引き寄せることにより、電子ペーパー１０１の表面を撓ませる。そして、ガイドレールの磁極で引き寄せる部分を矢印１２７のように移動させることにより、電子ペーパー１０１の表面に波のような動きを実現することができる。ガイドレールの磁極の数や移動の方向を変化させることにより、様々な波の動きを表現することが可能となる。尚、上記のようなガイドレールの磁極で磁石１２１を引き寄せるタイミングや磁極の移動方向の変化などは制御部（図示せず）によって自在に制御することが可能となっている。
【００９６】
上記実施の形態４においても実施の形態１と同様の効果を得ることができる。
また、電子ペーパー１０１を機械的に撓ませるものに比べて、磁極発生装置を利用することで、波の揺れ幅、揺れサイクルを自在に調節可能になる。
【００９７】
尚、本発明は上記の実施の形態４に限定されず、本発明の主旨を逸脱しない範囲内で種々変更して実施することが可能である。例えば、磁石１２１の数を適宜変更して実施することも可能である。磁石１２１の数や大きさなどを調整することにより、電子ペーパーを波立たせる表現を調整することができる。
【００９８】
（実施の形態５）
図１８は、本発明の実施の形態５による可撓性を有する電子ペーパー表示装置の電子ペーパーを波立たせて動かす機構を模式的に示す図であり、図１８（Ａ）は電子ペーパーの動きを停止させた時を示す上面図であり、図１８（Ｂ）は電子ペーパーを波立たせて動かした可動時を示す上面図であり、図１８（Ｃ）は図１８（Ａ）に示す電子ペーパー表示装置の正面図であり、図１８（Ｄ）は図１８（Ａ）に示す電子ペーパー表示装置の側面図である。図１９は、図１８に示す機構によって電子ペーパーを動かす方法を説明する模式図である。図１８及び図１９において、図８と同一部分には同一符号を付し、異なる部分についてのみ説明する。
【００９９】
図１８及び図１９に示すように、電子ペーパー１０１の上端部は、該電子ペーパーを二つのローラー１２８，１２９で挟んで固定する第１乃至第４の固定部１３０〜１３３によって保持されており、電子ペーパー１０１の下端部は、該電子ペーパーを二つのローラー１２８，１２９で挟んで固定する第５乃至第８の固定部１３４〜１３７によって保持されている。
【０１００】
電子ペーパー表示装置は第１及び第２の可動ガイド板１３８，１３９を有しており、第１及び第２の可動ガイド板それぞれには波状の溝（穴）１４０が設けられている。この溝１４０の波形状は電子ペーパー１０１の表面に対して略平行方向に延びている。また、第１乃至第８の固定部１３０〜１３７それぞれには軸１４１が取り付けられており、この軸１４１は前記溝１４０を貫通している。
【０１０１】
電子ペーパー表示装置は、図１９に示すように前記軸１４１をＸ方向にのみ移動可能とし且つ前記軸１４１がＹ方向にずれないように固定する固定板１４２を有している。つまり、固定板１４２には、電子ペーパー１０１の表面に対して略垂直方向に延びる直線状の溝（穴）１４２ａが設けられており、この溝１４２ａに前記軸１４１が貫通されている。
【０１０２】
第１の可動ガイド板１３８の片側はギア（図示せず）を有しており、このギアに噛み合う上部ギア１４３が第１の可動ガイド板１３８の片側に配置されている。第２の可動ガイド板１３９の片側はギア（図示せず）を有しており、このギアに噛み合う下部ギア１４４が第２の可動ガイド板１３９の片側に配置されている。上部ギア１４３と下部ギア１４４は連動軸１４５によって繋げられている。
【０１０３】
上部ギア１４３にはモータ１４６が接続されており、このモータ１４６の駆動力によって上部ギア１４３を回転させることが可能となる。
【０１０４】
次に、上述した電子ペーパー表示装置の動作について説明する。
モータ１４６の駆動力によって上部ギア１４３を回転させると、この回転が連動軸１４５によって下部ギア１４４に伝えられ、その結果、前記回転の力が第１及び第２の可動ガイド板１３８，１３９それぞれの片側のギアに伝えられ、それにより第１及び第２の可動ガイド板１３８，１３９それぞれは矢印１４７又は１４８の方向に移動される。
【０１０５】
矢印１４７又は１４８の方向に第１及び第２の可動ガイド板それぞれを移動させることにより、波状の溝１４０に沿って軸１４０を動かすことができ、且つ直線状の溝１４２ａに沿って軸１４０を動かすことができる。この結果、軸１４０を図１９に示すＸ方向（即ち電子ペーパー１０１の表面に対して略垂直方向１４９）に往復移動させることができる。この軸１４０の往復移動の動きが電子ペーパー１０１に伝えられることにより、電子ペーパー１０１の表面を撓ませて波立たせることができる。
【０１０６】
また、電子ペーパー表示装置は制御部を有しており、この制御部は、第１及び第２の可動ガイド板は矢印１４７の方向に移動させた後、矢印１４８の方向に移動させ、その後、矢印１４７の方向に移動させるように、モータ１４６の駆動を制御するものである。
【０１０７】
上記実施の形態５においても実施の形態１と同様の効果を得ることができる。
また、波の揺れ幅、揺れサイクルを溝１４２ａの幅で容易に設定することが可能なので、例えば、常に一定の波では無く、可動ガイド板１３８，１３９が移動する間に波の揺れ幅、揺れサイクルを変更することが可能である。
【０１０８】
尚、本発明は上記の実施の形態５に限定されず、本発明の主旨を逸脱しない範囲内で種々変更して実施することが可能である。例えば、固定部の数を変更して実施することも可能である。また、固定部の数や第１及び第２の可動ガイド板１３８，１３９それぞれの溝１４０の波形状などを適宜調整することにより、電子ペーパーを波立たせる表現を調整することができる。
【０１０９】
また、上記実施の形態５では、一つのモータ１４６によって第１及び第２の可動ガイド板を動かしているが、二つのモータによって第１及び第２の可動ガイド板それぞれを独立して動かすことも可能である。この場合、連動軸１４５は不要となる。
【０１１０】
また、上記実施の形態から把握できる技術的思想について以下に記載する。
（１）請求項３において、前記電子ペーパーの表面を撓ませる際は、前記第１及び第２の突起それぞれを前記電子ペーパーの表面に対して略垂直方向に往復移動させることを特徴とする遊技機。
【０１１１】
（２）遊技球が入球可能な始動口と、
前記遊技球が入球不可能な閉鎖状態および前記遊技球が入球可能な開放状態に変化可能な可変入球口と、
前記遊技球が前記始動口に入球することに基づいて、前記可変入球口を開放する大当り又は前記可変入球口を開放しない外れを判定する当落判定手段と、
前記当落判定手段が大当りを判定したときには大当りの図柄を表示し、前記当落判定手段が外れを判定したときには外れの図柄を表示する電子ペーパー表示装置と、
を備え、
前記電子ペーパー表示装置は、
可撓性を有する電子ペーパーと、
前記電子ペーパーの一端側に設けられた第１のフレキシブルベルトと、
前記電子ペーパーの他端側に設けられた第２のフレキシブルベルトと、
前記第１のフレキシブルベルトの一方側に設けられ、前記第１のフレキシブルベルトを前記電子ペーパーの表面に対して略垂直方向で且つ前記第１のフレキシブルベルトの一方側から他方側に押す第１のカムと、
前記第１のフレキシブルベルトを挟んで前記第１のカムの隣に設けられ、前記第１のフレキシブルベルトを前記電子ペーパーの表面に対して略垂直方向で且つ前記第１のフレキシブルベルトの他方側から一方側に押す第２のカムと、
前記第１のフレキシブルベルトを挟んで前記第２のカムの隣に設けられ、前記第１のフレキシブルベルトを前記電子ペーパーの表面に対して略垂直方向で且つ前記第１のフレキシブルベルトの一方側から他方側に押す第３のカムと、
前記第２のフレキシブルベルトの一方側に設けられ、前記第１のカムに対向するように配置され、前記第２のフレキシブルベルトを前記電子ペーパーの表面に対して略垂直方向で且つ前記第２のフレキシブルベルトの一方側から他方側に押す第４のカムと、
前記第２のフレキシブルベルトを挟んで前記第４のカムの隣に設けられ、前記第２のカムに対向するように配置され、前記第２のフレキシブルベルトを前記電子ペーパーの表面に対して略垂直方向で且つ前記第２のフレキシブルベルトの他方側から一方側に押す第５のカムと、
前記第２のフレキシブルベルトを挟んで前記第５のカムの隣に設けられ、前記第３のカムに対向するように配置され、前記第２のフレキシブルベルトを前記電子ペーパーの表面に対して略垂直方向で且つ前記第２のフレキシブルベルトの一方側から他方側に押す第６のカムと、
前記第１乃至第６のカムを回転させる回転機構と、
を具備し、
前記回転機構によって前記第１乃至第６のカムそれぞれを回転させることにより、前記第１及び第２のフレキシブルベルトそれぞれを前記第１乃至第６のカムによって押して前記電子ペーパーの表面を撓ませることを特徴とする遊技機。
【０１１２】
（３）技術思想（２）において、前記電子ペーパー表示装置は、前記第２及び第５のカムを前記電子ペーパーの表面に対して略垂直方向に移動させる移動機構をさらに具備することを特徴とする遊技機。
【０１１３】
（４）遊技球が入球可能な始動口と、
前記遊技球が入球不可能な閉鎖状態および前記遊技球が入球可能な開放状態に変化可能な可変入球口と、
前記遊技球が前記始動口に入球することに基づいて、前記可変入球口を開放する大当り又は前記可変入球口を開放しない外れを判定する当落判定手段と、
前記当落判定手段が大当りを判定したときには大当りの図柄を表示し、前記当落判定手段が外れを判定したときには外れの図柄を表示する電子ペーパー表示装置と、
を備え、
前記電子ペーパー表示装置は、
可撓性を有する電子ペーパーと、
前記電子ペーパーの一端側に設けられ、互いに連結された複数の中空部品によって構成され、前記電子ペーパーの表面に対して略垂直面にのみ可動する第１の中空部材と、
前記電子ペーパーの他端側に設けられ、互いに連結された複数の中空部品によって構成され、前記電子ペーパーの表面に対して略垂直面にのみ可動する第２の中空部材と、
前記第１の中空部材の内部に挿入され、波型の形状を有する第１の線と、
前記第２の中空部材の内部に挿入され、波型の形状を有する第２の線と、
前記第１及び第２の線を回転させる回転機構と、
を具備し、
前記回転機構によって前記第１及び第２の線それぞれを回転させ、前記第１及び第２の中空部材それぞれを蛇のように波状に動かすことにより、前記電子ペーパーの表面を撓ませることを特徴とする遊技機。
【０１１４】
（５）遊技球が入球可能な始動口と、
前記遊技球が入球不可能な閉鎖状態および前記遊技球が入球可能な開放状態に変化可能な可変入球口と、
前記遊技球が前記始動口に入球することに基づいて、前記可変入球口を開放する大当り又は前記可変入球口を開放しない外れを判定する当落判定手段と、
前記当落判定手段が大当りを判定したときには大当りの図柄を表示し、前記当落判定手段が外れを判定したときには外れの図柄を表示する電子ペーパー表示装置と、
を備え、
前記電子ペーパー表示装置は、
可撓性を有する電子ペーパーと、
前記電子ペーパーの一端側に設けられた第１のフレキシブルベルトと、
前記電子ペーパーの他端側に設けられた第２のフレキシブルベルトと、
磁極を発生させる機構を有し且つ互いに平行に配置された第１及び第２のガイドレールと、
前記第１のガイドレールと前記第２のガイドレールとの間に配置され且つ前記第１のガイドレールに沿って配置され、前記第１のフレキシブルベルトに装着され、前記電子ペーパーの表面に対して略垂直方向に互いに独立して移動可能に構成された複数の第１の磁石と、
磁極を発生させる機構を有し且つ互いに平行に配置された第３及び第４のガイドレールと、
前記第３のガイドレールと前記第４のガイドレールとの間に配置され且つ前記第３のガイドレールに沿って配置され、前記第２のフレキシブルベルトに装着され、前記電子ペーパーの表面に対して略垂直方向に互いに独立して移動可能に構成された複数の第２の磁石と、
前記複数の第１の磁石のうち一部の磁石を前記第１及び第２のガイドレールそれぞれの磁極で引き寄せるとともに、前記複数の第２の磁石のうち一部の磁石を前記第３及び第４のガイドレールそれぞれの磁極で引き寄せることにより、前記電子ペーパーの表面を撓ませ、前記第１乃至第４のガイドレールそれぞれの磁極で引き寄せる部分を前記第１乃至第４のガイドレールに沿って移動させるように制御する制御部と、
を具備することを特徴とする遊技機。
【０１１５】
（６）遊技球が入球可能な始動口と、
前記遊技球が入球不可能な閉鎖状態および前記遊技球が入球可能な開放状態に変化可能な可変入球口と、
前記遊技球が前記始動口に入球することに基づいて、前記可変入球口を開放する大当り又は前記可変入球口を開放しない外れを判定する当落判定手段と、
前記当落判定手段が大当りを判定したときには大当りの図柄を表示し、前記当落判定手段が外れを判定したときには外れの図柄を表示する電子ペーパー表示装置と、
を備え、
前記電子ペーパー表示装置は、
可撓性を有する電子ペーパーと、
前記電子ペーパーの一端部を保持する第１の保持部と、
前記電子ペーパーの他端部を保持する第２の保持部と、
前記第１の保持部に設けられた第１の軸と、
前記第２の保持部に設けられた第２の軸と、
前記第１の軸が前記電子ペーパーの表面に対して略垂直方向に移動可能に保持された第３の保持部と、
前記第２の軸が前記電子ペーパーの表面に対して略垂直方向に移動可能に保持された第４の保持部と、
前記第１の軸が挿入された第１の溝であって、前記電子ペーパーの一端部の長手方向に延びる波状の第１の溝を有する第１のガイド板と、
前記第２の軸が挿入された第２の溝であって、前記電子ペーパーの他端部の長手方向に延びる波状の第２の溝を有する第２のガイド板と、
前記第１及び第２のガイド板を前記長手方向に移動させる移動機構と、
を具備し、
前記移動機構によって前記第１及び第２のガイド板それぞれを前記長手方向に移動させ、前記第１及び第２の溝それぞれによって前記第１及び第２の軸それぞれをガイドすることにより、前記第１及び第２の軸それぞれを前記電子ペーパーの表面に対して略垂直方向に往復移動させて前記電子ペーパーの表面を撓ませることを特徴とする遊技機。
【図面の簡単な説明】
【０１１６】
【図１】本発明の実施の形態１による遊技盤を示す前面図である。
【図２】本発明の実施の形態１による遊技機の全体構成を示す前面図である。
【図３】本発明の実施の形態１による遊技機の全体構成を示す後面図である。
【図４】本発明の実施の形態１による遊技機の電気的構成を示すブロック図である。
【図５】本発明の実施の形態１による遊技機のメイン制御装置のメインプログラムを示すフローチャートである。
【図６】本発明の実施の形態１による遊技機のメイン制御装置のメインプログラムの一部を示すフローチャートである。
【図７】本発明の実施の形態１による遊技機のメイン制御装置のメインプログラムの一部を示すフローチャートである。
【図８】本発明の実施の形態１による電子ペーパー表示装置を模式的に示す斜視図である。
【図９】（Ａ），（Ｂ）は、本発明の実施の形態２による電子ペーパー表示装置の電子ペーパーを波立たせて動かす機構を模式的に示す平面図である。
【図１０】（Ａ），（Ｂ）は、本発明の実施の形態２による電子ペーパー表示装置の電子ペーパーを波立たせて動かす機構を模式的に示す平面図である。
【図１１】（Ａ），（Ｂ）は、実施の形態２による電子ペーパーを波立たせて動かす機構の変形例１を説明するための平面図である。
【図１２】実施の形態２による電子ペーパーを波立たせて動かす機構の変形例１を説明するための平面図である。
【図１３】本発明の実施の形態３による電子ペーパー表示装置の電子ペーパーを波立たせて動かす機構を模式的に示す斜視図である。
【図１４】（Ａ）は、図１３に示す電子ペーパーを波立たせて動かす機構を部分的に詳細に示す斜視図であり、（Ｂ）〜（Ｄ）は、（Ａ）に示す機構の部品を示す斜視図である。
【図１５】実施の形態３による電子ペーパーを波立たせて動かす機構の変形例を模式的に示す斜視図である。
【図１６】本発明の実施の形態４による電子ペーパー表示装置の電子ペーパーを波立たせて動かす機構を模式的に示す斜視図である。
【図１７】図１６に示す機構によって電子ペーパーを動かしている様子を説明する模式図である。
【図１８】（Ａ）〜（Ｄ）は、本発明の実施の形態５による電子ペーパー表示装置の電子ペーパーを波立たせて動かす機構を模式的に示す図である。
【図１９】図１８に示す機構によって電子ペーパーを動かす方法を説明する模式図である。
【符号の説明】
【０１１７】
２５…電子ペーパー表示装置、３３…始動口、１０１…電子ペーパー、１０２ａ，１０２ｂ…フレキシブルベルト、１０３…突起、１０４…溝、１０５ａ〜１０５ｆ…ドラム
【図１】
2008099751.tif 000003
【図２】
2008099751.tif 000004
【図３】
2008099751.tif 000005
【図４】
2008099751.tif 000006
【図５】
2008099751.tif 000007
【図６】
2008099751.tif 000008
【図７】
2008099751.tif 000009
【図８】
2008099751.tif 000010
【図９】
2008099751.tif 000011
【図１０】
2008099751.tif 000012
【図１１】
2008099751.tif 000013
【図１２】
2008099751.tif 000014
【図１３】
2008099751.tif 000015
【図１４】
2008099751.tif 000016
【図１５】
2008099751.tif 000017
【図１６】
2008099751.tif 000018
【図１７】
2008099751.tif 000019
【図１８】
2008099751.tif 000020
【図１９】
2008099751.tif 000021